(57)【要約】【課題】ジャンパー用の導体を絶縁保護し、ジャンパー用の導体を接続解除することで、送電系統の切り替え作業など鉄塔における作業効率を向上する。【解決手段】本発明に係るジャンパー装置１は、絶縁碍子Ｇを介して鉄塔Ｐに支持された一次側電線Ｋ１に通電可能に接続される一次側接続体２と、絶縁碍子Ｇを介して鉄塔Ｐに支持された二次側電線Ｋ２に通電可能に接続される二次側接続体３と、一方向に延びる導電体４であって、一次側接続体２及び二次側接続体３を通電可能に接続する導電体４と、導電体４を被覆する絶縁被覆体５とを備え、一次側電線Ｋ１に対する一次側接続体２の接続解除及び二次側電線Ｋ２に対する二次側接続体３の接続解除、又は導電体４に対する一次側接続体２及び二次側接続体３の連結解除された状態で、導電体４及び絶縁被覆体５が一方向で相対移動可能となるように構成される。【選択図】図１
2016129468.tif 000002
【特許請求の範囲】
【請求項１】
絶縁碍子を介して鉄塔に支持された一次側電線に通電可能に接続される一次側接続体と、絶縁碍子を介して鉄塔に支持された二次側電線に通電可能に接続される二次側接続体と、一方向に延びる導電体であって、一次側接続体及び二次側接続体を通電可能に接続する導電体と、導電体を被覆する絶縁被覆体とを備え、
一次側電線に対する一次側接続体の接続解除及び二次側電線に対する二次側接続体の接続解除、又は、導電体に対する一次側接続体及び二次側接続体の連結解除された状態で、導電体及び絶縁被覆体が一方向で相対移動可能となるように構成されていることを特徴とするジャンパー装置。
【請求項２】
導電体は、一次側接続体に接続可能な第一連結部と、二次側接続体に連結可能な第二連結部と、第一連結部及び第二連結部を通電可能に接続する導通部であって、一方向に延びる導通部とを備える請求項１に記載のジャンパー装置。
【請求項３】
導通部は、第一連結部が連結された第一導通部と、第二連結部が連結された第二導通部とを備え、第一導通部及び第二導通部は、一方向に一列に並んで互いに連結可能に構成され、絶縁被覆体は、第一導通部と第二導通部との連結位置を露出させる開口部を有することを特徴とする請求項１又は２に記載のジャンパー装置。
【請求項４】
絶縁被覆体の開口部を覆うカバーをさらに備えることを特徴とする請求項１乃至３のいずれか１項に記載のジャンパー装置。
【請求項５】
絶縁被覆体は、被覆した導電体の周方向に間隔を開けて配置された複数の凸部を有し、該複数の凸部は、導電体を部分的に支持するように構成されることを特徴とする請求項１乃至４のいずれか１項に記載のジャンパー装置。
【発明の詳細な説明】
【技術分野】
【０００１】
本発明は、鉄塔に一次側電線と二次側電線とを絶縁支持するためのジャンパー装置に関する。
【背景技術】
【０００２】
鉄塔に一次側電線と二次側電線とを絶縁支持する場合、ジャンパー装置が使用されている。例えば、図７に示す如く、鉄塔のアームＰ１に取り付けられた一対の絶縁碍子Ｇ，Ｇと、一方の絶縁碍子Ｇを介して一次側電線Ｋ１に通電可能に接続される一次側接続体（クランプ）２と、他方の絶縁碍子Ｇを介して二次側電線Ｋ２に通電可能に接続される二次側接続体（クランプ）３と、一次側電線Ｋ１と二次側電線Ｋ２の間に接続されたジャンパー用の導体１０１とを備えたジャンパー装置１００が提供されている（特許文献１参照）。
【先行技術文献】
【特許文献】
【０００３】
【特許文献１】特開２０００−３２４６３２号公報
【発明の概要】
【発明が解決しようとする課題】
【０００４】
ところで、上記構成のジャンパー装置１００の場合、鉄塔Ｐにおいて送電系統の切り替え作業を行う場合、ジャンパー用の導体１０１に対する一次側電線Ｋ１及び二次側電線Ｋ２の接続を解除する必要がある。また、作業終了後は、ジャンパー用の導体１０１を再度接続する必要がある。これらの作業には、一次側電線Ｋ１及び二次側電線Ｋ２の絶縁被覆の剥離作業、ボルト・ナットの着脱作業など、煩雑な作業が多く、作業性がよくないという問題がある。
【０００５】
そこで、本発明は、上記問題に鑑み、ジャンパー用の導体を絶縁保護するとともに、ジャンパー用の導体を接続解除することで、送電系統の切り替え作業など、鉄塔における作業効率を向上できるようにしたジャンパー装置を提供することを目的とする。
【課題を解決するための手段】
【０００６】
本発明に係るジャンパー装置は、絶縁碍子を介して鉄塔に支持された一次側電線に通電可能に接続される一次側接続体と、絶縁碍子を介して鉄塔に支持された二次側電線に通電可能に接続される二次側接続体と、一方向に延びる導電体であって、一次側接続体及び二次側接続体を通電可能に接続する導電体と、導電体を被覆する絶縁被覆体とを備え、一次側電線に対する一次側接続体の接続解除及び二次側電線に対する二次側接続体の接続解除、又は、導電体に対する一次側接続体及び二次側接続体の連結解除された状態で、導電体及び絶縁被覆体が一方向で相対移動可能となるように構成される。
【０００７】
かかる構成によれば、一次側電線に対する一次側接続体の接続解除及び二次側電線に対する二次側接続体の接続を解除する場合、導電体と一次側電線との連結位置、及び、導電体と二次側電線との連結位置、それぞれにおいて導通がとれない位置にずらすことで接続解除される。この状態で、導電体及び絶縁被覆体の少なくともいずれか一方をスライドさせれば、一次側電線と二次側電線とを容易に分断することができる。
【０００８】
また、導電体に対する一次側接続体及び二次側接続体の連結を解除する場合、導電体と一次側接続体との連結位置、及び、導電体と二次側接続体との連結位置、それぞれにおいて導通がとれない位置にずらすことで接続解除される。この状態で、導電体及び絶縁被覆体の少なくともいずれか一方をスライドさせれば、一次側電線と二次側電線とを容易に分断することができる。
【０００９】
本発明に係るジャンパー装置の一態様として、導電体は、一次側接続体に接続可能な第一連結部と、二次側接続体に連結可能な第二連結部と、第一連結部及び第二連結部を通電可能に接続する導通部であって、一方向に延びる導通部とを備えることが好ましい。
【００１０】
かかる構成によれば、導電体の第一連結部によって一次側接続体に連結できるとともに、導電体の第二連結部によって二次側接続体に連結できるようになる。また、導電体の導通部によって第一連結部及び第二連結部に通電することができる。
【００１１】
本発明に係るジャンパー装置の他態様として、導通部は、第一連結部が連結された第一導通部と、第二連結部が連結された第二導通部とを備え、第一導通部及び第二導通部は、一方向に一列に並んで互いに連結可能に構成され、絶縁被覆体は、第一導通部と第二導通部との連結位置を露出させる開口部を有することが好ましい。
【００１２】
かかる構成によれば、絶縁被覆体の開口部から第一導通部と第二導通部との連結位置に対する連結作業及び連結解除作業を行うことができる。
【００１３】
本発明に係るジャンパー装置の他態様として、絶縁被覆体の開口部を覆うカバーをさらに備えることが好ましい。
【００１４】
かかる構成によれば、絶縁被覆体内部における第一導通部と第二導通部との連結部に対する水密性が確保され、導電体に対する絶縁劣化及び防錆に対処することができる。
【００１５】
本発明に係るジャンパー装置の他態様として、絶縁被覆体は、被覆した導電体の周方向に間隔を開けて配置された複数の凸部を有し、該複数の凸部は、導電体を部分的に支持するように構成されることが好ましい。
【００１６】
かかる構成によれば、被覆した導電体の周方向に間隔を開けて配置された絶縁被覆体の複数の凸部によって、導電体が部分的に支持されて直線状態に支持される。
【発明の効果】
【００１７】
以上のように、本発明によれば、ジャンパー用の導体を絶縁保護するとともに、ジャンパー用の導体を接続解除することで、送電系統の切り替え作業など、鉄塔における作業効率を向上することができる。
【図面の簡単な説明】
【００１８】
【図１】図１は、本発明の第一実施形態に係るジャンパー装置を示す図である。
【図２】図２は、同実施形態に係るジャンパー装置において、絶縁被覆体に導電体が挿通された状態を示す図であり、図２（ａ）は、導電体が凸部に支持された状態を示した図であり、図２（ｂ）は、絶縁被覆体の側面を示す概略図である。
【図３】図３は、導電体の連結部に対する使用態様を示す図であり、図３（ａ）は、導電体の導通部にテーピングした状態を示した図であり、図３（ｂ）は、導通部のテーピングした箇所にカバーを取り付けた状態を示した図であり、図３（ｃ）は、図３（ｂ）の側面図である。
【図４】図４は、第二実施形態に係るジャンパー装置を示す図である。
【図５】図５は、図４に示すジャンパー装置において、第一導通部及び第二導通部が凸部に支持された状態を示した図である。
【図６】図６は、第一導通部及び第二導通部の連結部を拡大した図であり、図６（ａ）は、絶縁被覆体の開口部における連結状態を示した図であり、図６（ｂ）は、図６の側面図である。
【図７】図７は、従来のジャンパー装置を示す図である。
【発明を実施するための形態】
【００１９】
本発明の実施形態に係るジャンパー装置について図１〜図６を参照して説明する。
【００２０】
（第一実施形態）
図１及び図２に示す如く、第一実施形態に係るジャンパー装置１は、一次側接続体２と、二次側接続体３と、導電体４と、絶縁被覆体５とを備える。
【００２１】
一次側接続体２は、絶縁碍子Ｇ，Ｇを介して鉄塔のアームＰ１に支持された一次側電線Ｋ１に通電可能に接続される。具体的には、一次側接続体２は、一次側電線Ｋ１を挟持するクランプである（一次側電線Ｋ１を引き留める引留クランプでもよい）。
【００２２】
二次側接続体３は、絶縁碍子Ｇ，Ｇを介して鉄塔のアームＰ１に支持された二次側電線Ｋ２に通電可能に接続される。具体的には、二次側接続体３はクランプである（二次側電線Ｋ２を引き留める引留クランプでもよい）。
【００２３】
導電体４は、一方向に延びて、一次側接続体２及び二次側接続体３を通電可能に接続する。具体的には、第一連結部４０と、第二連結部４１と、導通部４２を有する。
【００２４】
第一連結部４０は、一次側接続体２に連結可能に構成される。具体的には、第一連結部４０は、導通部４２の一端部に連結された第一導電性軸部４００と、第一導電性軸部４００の端部に連結された第一連結片４０１とを有する。
【００２５】
第二連結部４１は、二次側接続体３に連結可能に構成される。具体的には、第二連結部４１は、導通部４２の他端部に連結された第二導電性軸部４１０と、第二導電性軸部４１０の端部に連結された第二連結片４１１とを有する。そして、第一連結片４０１は一次側接続体２に、第二連結片４１１は二次側接続体３に、ボルト・ナットによって機械的及び電気的に接続される。
【００２６】
導通部４２は、導通性を有する芯線と、該芯線を絶縁被覆する被覆部とを有する絶縁電線であり、第一連結部４０及び第二連結部４１を通電可能に接続する。そして、導通部４２の第一連結部４０側の端部、すなわち、絶縁電線の露出した芯線部分は、図３（ａ）に示す如く、絶縁テープＴによってテーピングされている。さらに、図３（ａ）、（ｂ）に示す如く、テーピングされた箇所がカバー７によって周方向に覆われている。なお、導通部４２の第二連結部４１側の端部も同様に、テーピングされて防水構造になっている。
【００２７】
絶縁被覆体５は、連結された複数の碍子である。そして、絶縁被覆体５の内面には、被覆した導電体４の周方向に間隔を開けて配置された複数の凸部５０が形成される。該複数の凸部５０は、導電体４を部分的に支持するように構成されている。そうすることで、絶縁被覆体５の内部において、導電体４を一直線状に支持できて、導電体４を絶縁被覆体５の軸線に沿って容易にスライド（往復移動）させることができる。具体的には、導電体４及び絶縁被覆体５は、一次側電線Ｋ１に対する一次側接続体２の接続解除及び二次側電線Ｋ２に対する二次側接続体３の接続解除、又は、導電体４に対する一次側接続体２及び二次側接続体３の連結解除された状態で、絶縁被覆体５の軸線に沿って相対移動可能となるように構成される。
【００２８】
つぎに第一実施形態に係るジャンパー装置１の使用態様について説明する。まず、鉄塔のアームＰ１に支持された一対の碍子Ｇ，Ｇに一次側接続体２及び二次側接続体３を取り付ける。
【００２９】
そして、絶縁被覆体５の一端開口から導電体４を挿通する。この際、導通部４２は、絶縁被覆体５の複数の凸部５０によって部分的に支持される。
【００３０】
つぎに、絶縁被覆体５の両端部から導出された、第一連結部４０の第一連結片４０１と、第二連結部４１の第二連結片４１１とを、一次側接続体２及び二次側接続体３にそれぞれボルト・ナットによって機械的に接続する。
【００３１】
つぎに、導通部４２の両端部を絶縁テープＴでテーピングする。そうすることで、絶縁被覆体５の端部と導通部４２の端部との間からの水の浸入を防止することができる。
【００３２】
その後、テーピングした、導通部４２の両端部にカバー７を取り付けて、導通部４２の両端部を周方向に覆う。これによって、導通部４２の両端部が防水構造となる。
【００３３】
そして、一次側電線Ｋ１と二次側電線Ｋ２との接続を解除する場合、一次側電線Ｋ１に対する一次側接続体２の接続解除及び二次側電線Ｋ２に対する二次側接続体３の接続を解除するか、導電体４に対する一次側接続体２及び二次側接続体３の接続を解除する。
【００３４】
具体的に説明すると、一次側電線Ｋ１と一次側接続体２との連結位置、及び、二次側電線Ｋ２と二次側接続体３との連結位置をずらして、導通がとれない状態にする。この状態で、導電体４及び絶縁被覆体５の少なくともいずれか一方をスライドさせれば、一次側電線Ｋ１と二次側電線Ｋ２とを容易に接続解除することができる。
【００３５】
又は、導電体４と一次側接続体２との連結位置、及び、導電体４と二次側接続体３との連結位置をずらして、導通がとれない状態にする。この状態で、導電体４及び絶縁被覆体５の少なくともいずれか一方をスライドさせれば、一次側電線Ｋ１と二次側電線Ｋ２とを容易に接続解除することができる。
【００３６】
このように、第一実施形態に係るジャンパー装置１によれば、一次側電線Ｋ１と二次側電線Ｋ２との電気的接続を効率よく解除することができる。また、導電体４を絶縁被覆体５によって絶縁保護できるようにしたので、作業者に対する感電防止することができる。また、導電体４と、作業者との距離を十分にとれるので、鉄塔のアームＰ１における作業者の作業スペースを確保できる。すなわち、作業者の安全性を確保することができる。また、導電体４と絶縁被覆体５とを相対移動できるようにしたので、送電系統の切り替えなどの作業効率を向上することができる。
【００３７】
（第二実施形態）
つぎに第二実施形態に係るジャンパー装置１Ａについて、図４〜図６（ａ），（ｂ）を参照して説明する。これらの図において、図１及び図２と同一符号は同一、もしくは相当するものを示す。異なる点は、導電体４が一対の導通部４２Ａ，４２Ｂを有し、一対の導通部４２Ａ，４２Ｂが絶縁被覆体５Ａに挿通され、絶縁被覆体５Ａの内部で開閉できるようにした点である。以下、異なる点についてのみ説明する。
【００３８】
図４〜図６（ａ），（ｂ）に示す如く、第二実施形態に係るジャンパー装置１Ａは、導電体４と、絶縁被覆体５Ａとを備える。
【００３９】
導電体４は、第一連結部４０Ａが連結された第一導通部４２Ａと、第二連結部４０Ｂが連結された第二導通部４２Ｂとを備える。
【００４０】
そして、第一導通部４２Ａ及び第二導通部４２Ｂは、一方向に一列に並んで互いに連結可能に構成される。
【００４１】
第一導通部４２Ａは、第一連結部４０Ａが一端部に連結された第一導電性軸部４００Ａと、該第一導電性軸部４００Ａの他端部に連結された第一連結片４０１Ａとを有する。そして、第一連結片４０１Ａは、一次側接続体２にボルト・ナットにより機械的及び電気的に接続される。
【００４２】
第二導通部４２Ｂは、第二連結部４０Ｂが一端部に連結された第二導電性軸部４００Ｂと、該第二導電性軸部４００Ｂの他端部に連結された第二連結片４０１Ｂとを有する。そして、第二連結片４０１Ｂは、二次側接続体３にボルト・ナットにより機械的及び電気的に接続される。
【００４３】
さらに、第一導通部４２Ａ及び第二導通部４２Ｂは、第一接続部４０２Ａ及び第二接続部４０２Ｂを有する。そして、第一接続部４０２Ａと第二接続部４０２Ｂはボルト・ナットによって機械的及び電気的に接続可能に構成される。
【００４４】
絶縁被覆体５Ａは、連結された複数の碍子で構成される。また、絶縁被覆体５Ａは、第一導通部４２Ａと第二導通部４２Ｂとの連結位置を露出させる開口部５１を有する。この開口部５１は、帯状のカバー７によって周方向に覆われる。これによって、絶縁被覆体５Ａの内部への雨水などの浸入を防止することができる。
【００４５】
また、絶縁被覆体５の内面には、被覆した導電体４の周方向に間隔を開けて配置された複数の凸部５０が形成される。該複数の凸部５０は、導電体４を部分的に支持するように構成されている。そうすることで、絶縁被覆体５の内部において、導電体４を一直線状に支持できて、導電体４を絶縁被覆体５の軸線に沿って容易にスライド（往復移動）させることができる。具体的には、導電体４及び絶縁被覆体５Ａは、一次側電線Ｋ１に対する一次側接続体２の接続解除及び二次側電線Ｋ２に対する二次側接続体３の接続解除、又は、導電体４に対する一次側接続体２及び二次側接続体３の連結解除された状態で、絶縁被覆体５Ａの軸線に沿って相対移動可能となるように構成される。
【００４６】
つぎに第二実施形態に係るジャンパー装置１Ａの使用態様について説明する。まず、鉄塔のアームＰ１に支持された一対の碍子Ｇ，Ｇに一次側接続体２及び二次側接続体３を取り付ける。
【００４７】
そして、絶縁被覆体５Ａに導電体４を挿通する。この際、第一導通部４２Ａが絶縁被覆体５Ａの一端側に位置し、第二導通部４２Ｂが絶縁被覆体５Ａの他端側に位置する。そして、第一導通部４２Ａ及び第二導通部４２Ｂは、絶縁被覆体５Ａの複数の凸部５０によって部分的に支持される。
【００４８】
つぎに、絶縁被覆体５Ａの開口部５１からカバー７を取り外して、前記開口部５１を開放する。
【００４９】
つぎに、絶縁被覆体５の開口部５１において、第一接続部４０２Ａと第二接続部４０２Ｂとを接続する。具体的に説明すると、第一接続部４０２Ａと第二接続部４０２Ｂとを重ね合わせて、ボルト・ナットによって機械的に連結する。これによって、一次側電線Ｋ２と二次側電線Ｋ２とがジャンパー装置１Ａを介して電気的に接続される。
【００５０】
つぎに、絶縁被覆体５の開口部５１にカバー７を取り付ける。これによって、水の浸入を確実に防止することができる。
【００５１】
そして、一次側電線Ｋ１と二次側電線Ｋ２との接続を解除する場合、導電体４の第一導通部４２Ａと一次側接続体２との連結位置をずらすとともに、導電体４の第一導通部４２Ａと第二導通部４２Ｂとの連結位置をずらして導通がとれない状態にする。
【００５２】
また、第二導通部４２Ｂと二次側接続体３との連結位置をずらすとともに、導電体４の第一導通部４２Ａと第二導通部４２Ｂとの連結位置をずらして導通がとれない状態にする。
【００５３】
いずれの場合も、第一導通部４２Ａ及び第二導通部４２Ｂのいずれか一方を絶縁被覆体５Ａに対して相対移動させるので、絶縁被覆体５Ａに対する導電体４の移動距離が短く、効率よく解除することができる。
【００５４】
このように、第二実施形態に係るジャンパー装置１Ａによれば、絶縁被覆体５Ａに対する導電体４の相対移動を短くできるようにしたので、送電系統の切り替えなどの作業効率を向上することができる。
【００５５】
なお、前記第一実施形態及び第二実施形態に係るジャンパー装置１、１Ａは、前記第一実施形態及び第二実施形態に限定することなく種々変更することができる。
【００５６】
例えば、前記第一実施形態及び第二実施形態の場合、絶縁被覆体５，５Ａとして碍子を使用するようにしたが、絶縁性を有する合成樹脂製の筒体を使用するようにしてもよい。
【００５７】
また、前記第一実施形態及び第二実施形態の場合、一次側接続体２、二次側接続体３、導電体４を個別に連結して分離可能にしたが、一体的に形成してもよい。
【００５８】
また、前記第一実施形態及び第二実施形態の場合、導電体４として絶縁電線を使用したが、ジャンパー線などの導体であってもよい。
【００５９】
また、前記第一実施形態及び第二実施形態の場合、一次側接続体２及び二次側接続体３は、電線を挟持するクランプ又は引留クランプが好ましい。
【符号の説明】
【００６０】
１，１Ａ，１００…ジャンパー装置、２…一次側接続体、３…二次側接続体、４，４Ａ，４Ｂ…導電体、５，５Ａ…絶縁被覆体、６，７…カバー、４０，４０Ａ…第一連結部、４１，４０Ｂ…第二連結部、４２…導通部、４２Ａ…第一導通部、４２Ｂ…第二導通部、５０…凸部、５１…開口部、１０１…導体、４００，４００Ａ…第一導電性軸部、４１０，４００Ｂ…第二導電性軸部、４０１，４０１Ａ…第一連結片、４１１，４０１Ｂ…第二連結片、４０２Ａ…第一接続部、４０２Ｂ…第二接続部、Ｇ…絶縁碍子、Ｋ１…一次側電線、Ｋ２…二次側電線、Ｐ…鉄塔、Ｐ１…アーム、Ｔ…絶縁テープ
【図１】
2016129468.tif 000003
【図２】
2016129468.tif 000004
【図３】
2016129468.tif 000005
【図４】
2016129468.tif 000006
【図５】
2016129468.tif 000007
【図６】
2016129468.tif 000008
【図７】
2016129468.tif 000009